(57)【要約】【課題】  遊技領域の側部を流下する遊技球に、遊技進行に影響を与え得る挙動を行わせて、遊技の興趣を高めることができる遊技機を提供する。【解決手段】  遊技盤１の遊技領域４の略中央に設けられたセンターケース７と、該センターケース７の下方に配置された始動口８と、センターケース７に開設された開口部５から表示部６′を臨ませ、始動口８への入賞に基づいて表示部６′の表示状態を変動可能な変動表示装置６とを備え、遊技領域４の側部に右側サイドランプ１６を設け、該右側サイドランプ１６は、遊技領域４の側部を流下する遊技球を遊技領域４の中央側へ向けて飛翔させる遊技球飛翔部３０を設けた。【選択図】  図１
2006068452.tif 000002
【特許請求の範囲】
【請求項１】
遊技盤の遊技領域の略中央に設けられたセンターケースと、該センターケースの下方に配置され、遊技球が入賞可能な始動口と、前記センターケースに開設された開口部から表示部を臨ませ、前記始動口への入賞に基づいて表示部の表示状態を変動可能な変動表示装置と、を備えた遊技機において、
前記遊技領域の側部に装飾部材を設け、
該装飾部材は、
前記遊技領域の側部を流下する遊技球を遊技領域の中央側へ向けて飛翔させる遊技球飛翔部を設けたことを特徴とする遊技機。
【請求項２】
前記遊技球飛翔部は、
前記遊技領域の側部から内側へ向けて下り傾斜した滑走部材と、
該滑走部材の下方に配置され、上面を下向き凹状に形成した飛翔部材と、
を備え、
前記滑走部材は、当該滑走部材を流下する遊技球に遊技領域の中央側へ向かう流下勢を加え、
前記飛翔部材は、前記流下勢を加えられた遊技球の移動方向を下方向から遊技領域の中央方向へ変換することを特徴とする請求項１に記載の遊技機。
【請求項３】
前記装飾部材は、
前記飛翔部材の上面のうち最も低い箇所の後方に開設された停留球導入口と、
当該装飾部材の裏面側に設けられ、前記停留球導入口から下方に延設された停留球誘導通路と、
当該装飾部材の下部に設けられ、前記停留球誘導通路の下端に連通する停留球導出口と、
を備え、
前記飛翔部材上に停留した遊技球を停留球導入口から停留球誘導通路へ誘導して、停留球導出口から遊技領域上に流出させ、遊技領域の下端に設けられたアウト口へ向けて流下させることを特徴とする請求項２に記載の遊技機。
【請求項４】
前記装飾部材は、
前記停留球誘導通路の途中から分岐し、前記停留球導入口から誘導された遊技球を入賞可能な一般入賞通路と、
前記停留球誘導通路と前記一般入賞通路との分岐箇所に設けられ、前記停留球誘導流路側に遊技球を流下させる停留処理状態と、前記一般入賞通路側に遊技球を流下させる入賞状態とに変換可能な流下方向変換部材と、
を備え、
該流下方向変換部材を停留処理状態と入賞状態とに、一定期間毎に変換することを特徴とする請求項３に記載の遊技機。
【請求項５】
前記装飾部材は、
前記滑走部材の側方であって前記飛翔部材の上方に飛翔補助部材を突設し、
該飛翔補助部材と前記滑走部材および飛翔部材との間に、遊技球よりも広い幅を有する飛翔誘導路を形成したことを特徴とする請求項２から請求項４の何れかに記載の遊技機。
【請求項６】
前記装飾部材は、前記飛翔誘導路のうち遊技領域の中央側に開設された導出口に逆流防止弁を設け、
該逆流防止弁は、遊技球が前記飛翔誘導路から前記導出口へ導出することを許容する一方、前記導出口から前記飛翔誘導路へ進入することを防止することを特徴とする請求項５に記載の遊技機。
【請求項７】
前記遊技球飛翔部は、
前記遊技領域を流下する遊技球を受け入れ可能な受入通路と、
該受入通路から受け入れた遊技球を跳ね上げる飛翔機構と、
該飛翔機構により跳ね上げられた遊技球を前記遊技領域の中央側へ案内する案内通路と、
から構成され、
前記飛翔機構は、
回動可能に軸着された遊技球飛翔回動体と、
該遊技球飛翔回動体を回動する駆動手段と
を備え、
前記遊技球飛翔回動体の一側に遊技球を受けた状態で、他側に前記駆動手段からの駆動力を伝達することで遊技球を前記案内通路から飛翔させることを特徴とする請求項１に記載の遊技機。
【発明の詳細な説明】
【技術分野】
【０００１】
本発明は、遊技盤の遊技領域の側部に装飾部材を備えたパチンコ遊技機等の遊技機に関する。
【背景技術】
【０００２】
従来の遊技機、例えば、パチンコ遊技機においては、遊技領域の側部に装飾部材としてのサイドランプが設けられ、このサイドランプから発生する装飾光により遊技上の演出が行われている。そして、このようなパチンコ遊技機の中には、サイドランプの一部に遊技球の案内部材を設け、その案内部材によりサイドランプに衝突した遊技球の流下方向を変換させ、入賞口等へ誘導することにより、遊技の興趣を高めようと試みたものが提案されている（例えば、特許文献１参照。）。
【特許文献１】特開２００１−１３７４５０号公報
【発明の開示】
【発明が解決しようとする課題】
【０００３】
ところで、上記の案内部材は、サイドランプ周辺の限られた範囲にしか遊技球を誘導できない。そして、誘導された遊技球は、サイドランプ周辺の入賞口に入賞する可能性があるが、この入賞口の多くが一般入賞口であるため、入賞したとしても所定数の賞球が払い出されるだけで、遊技進行に大きな変化を与える（例えば、特別遊技を発生させる）契機となる入賞を発生させることがない。このため、上記パチンコ遊技機は、遊技領域の側部を流下する遊技球の流下方向を案内部材により変換したとしても、この遊技球に、遊技進行に影響を与え得る挙動を行わせることができず、遊技の興趣向上に改善の余地を残している。
【０００４】
そこで、本発明は、上記の事情に鑑みてなされたものであり、その目的は、遊技領域の側部を流下する遊技球に、遊技進行に影響を与え得る挙動を行わせて、遊技の興趣を高めることができる遊技機を提供しようとするものである。
【課題を解決するための手段】
【０００５】
本発明は、上記目的を達成するために提案されたものであり、請求項１に記載のものは、遊技盤の遊技領域の略中央に設けられたセンターケースと、該センターケースの下方に配置され、遊技球が入賞可能な始動口と、前記センターケースに開設された開口部から表示部を臨ませ、前記始動口への入賞に基づいて表示部の表示状態を変動可能な変動表示装置と、を備えた遊技機において、
前記遊技領域の側部に装飾部材を設け、
該装飾部材は、
前記遊技領域の側部を流下する遊技球を遊技領域の中央側へ向けて飛翔させる遊技球飛翔部を設けたことを特徴とする遊技機である。
【０００６】
請求項２に記載のものは、前記遊技球飛翔部は、
前記遊技領域の側部から内側へ向けて下り傾斜した滑走部材と、
該滑走部材の下方に配置され、上面を下向き凹状に形成した飛翔部材と、
を備え、
前記滑走部材は、当該滑走部材を流下する遊技球に遊技領域の中央側へ向かう流下勢を加え、
前記飛翔部材は、前記流下勢を加えられた遊技球の移動方向を下方向から遊技領域の中央方向へ変換することを特徴とする請求項１に記載の遊技機である。
【０００７】
請求項３に記載のものは、前記装飾部材は、
前記飛翔部材の上面のうち最も低い箇所の後方に開設された停留球導入口と、
当該装飾部材の裏面側に設けられ、前記停留球導入口から下方に延設された停留球誘導通路と、
当該装飾部材の下部に設けられ、前記停留球誘導通路の下端に連通する停留球導出口と、
を備え、
前記飛翔部材上に停留した遊技球を停留球導入口から停留球誘導通路へ誘導して、停留球導出口から遊技領域上に流出させ、遊技領域の下端に設けられたアウト口へ向けて流下させることを特徴とする請求項２に記載の遊技機である。
【０００８】
請求項４に記載のものは、前記装飾部材は、
前記停留球誘導通路の途中から分岐し、前記停留球導入口から誘導された遊技球を入賞可能な一般入賞通路と、
前記停留球誘導通路と前記一般入賞通路との分岐箇所に設けられ、前記停留球誘導流路側に遊技球を流下させる停留処理状態と、前記一般入賞通路側に遊技球を流下させる入賞状態とに変換可能な流下方向変換部材と、
を備え、
該流下方向変換部材を停留処理状態と入賞状態とに、一定期間毎に変換することを特徴とする請求項３に記載の遊技機である。
【０００９】
請求項５に記載のものは、前記装飾部材は、
前記滑走部材の側方であって前記飛翔部材の上方に飛翔補助部材を突設し、
該飛翔補助部材と前記滑走部材および飛翔部材との間に、遊技球よりも広い幅を有する飛翔誘導路を形成したことを特徴とする請求項２から請求項４の何れかに記載の遊技機である。
【００１０】
請求項６に記載のものは、前記装飾部材は、前記飛翔誘導路のうち遊技領域の中央側に開設された導出口に逆流防止弁を設け、
該逆流防止弁は、遊技球が前記飛翔誘導路から前記導出口へ導出することを許容する一方、前記導出口から前記飛翔誘導路へ進入することを防止することを特徴とする請求項５に記載の遊技機である。
【００１１】
請求項７に記載のものは、前記遊技球飛翔部は、
前記遊技領域を流下する遊技球を受け入れ可能な受入通路と、
該受入通路から受け入れた遊技球を跳ね上げる飛翔機構と、
該飛翔機構により跳ね上げられた遊技球を前記遊技領域の中央側へ案内する案内通路と、
から構成され、
前記飛翔機構は、
回動可能に軸着された遊技球飛翔回動体と、
該遊技球飛翔回動体を回動する駆動手段と
を備え、
前記遊技球飛翔回動体の一側に遊技球を受けた状態で、他側に前記駆動手段からの駆動力を伝達することで遊技球を前記案内通路から飛翔させることを特徴とする請求項１に記載の遊技機である。
【発明の効果】
【００１２】
本発明によれば、以下のような優れた効果を奏する。
請求項１に記載の発明によれば、遊技領域の側部に装飾部材を設け、該装飾部材は、遊技領域の側部を流下する遊技球を遊技領域の中央側へ向けて飛翔させる遊技球飛翔部を設けたので、遊技領域の側部を流下する遊技球を、センターケースや始動口の周辺へ向けて飛翔させることができる。したがって、この遊技球に、遊技進行の変化の契機となる入賞の可能性を与えることができる。このことから、遊技進行の変化の契機となる入賞が見込めない遊技球であっても遊技進行に影響を与え得る挙動を行わせることができ、遊技の興趣を高めることができる。
【００１３】
請求項２に記載の発明によれば、遊技球飛翔部は、遊技領域の側部から内側へ向けて下り傾斜した滑走部材と、該滑走部材の下方に配置され、上面を下向き凹状に形成した飛翔部材とを備え、滑走部材は、当該滑走部材を流下する遊技球に遊技領域の中央側へ向かう流下勢を加え、飛翔部材は、流下勢を加えられた遊技球の移動方向を下方向から遊技領域の中央方向へ変換するので、駆動源を必要とせず簡単な構成で遊技球を遊技領域の中央側へ飛翔させることができる。
【００１４】
請求項３に記載の発明によれば、装飾部材は、飛翔部材の上面のうち最も低い箇所の後方に開設された停留球導入口と、当該装飾部材の裏面側に設けられ、停留球導入口から下方に延設された停留球誘導通路と、当該装飾部材の下部に設けられ、停留球誘導通路の下端に連通する停留球導出口とを備え、飛翔部材上に停留した遊技球を停留球導入口から停留球誘導通路へ誘導して、停留球導出口から遊技領域上に流出させ、遊技領域の下端に設けられたアウト口へ向けて流下させるので、遊技球飛翔部に遊技球が停留することを防ぐことができる。したがって、遊技球飛翔部へ流下してきた遊技球を、停留球に邪魔されることなく遊技領域の中央側へ飛翔させることができ、遊技の興趣を高めることができる。
【００１５】
請求項４に記載の発明によれば、装飾部材は、停留球誘導通路の途中から分岐し、停留球導入口から誘導された遊技球を入賞可能な一般入賞通路と、停留球誘導通路と一般入賞通路との分岐箇所に設けられ、停留球誘導流路側に遊技球を流下させる停留処理状態と、一般入賞通路側に遊技球を流下させる入賞状態とに変換可能な流下方向変換部材とを備え、該流下方向変換部材を停留処理状態と入賞状態とに、一定期間毎に変換するので、停留球誘導通路に流入した遊技球であっても入賞するチャンスを生じさせることができ、遊技の興趣の向上を図ることができる。
【００１６】
請求項５に記載の発明によれば、装飾部材は、滑走部材の側方であって飛翔部材の上方に飛翔補助部材を突設し、該飛翔補助部材と滑走部材および飛翔部材との間に、遊技球よりも広い幅を有する飛翔誘導路を形成したので、遊技球飛翔部に誘導されている遊技球が他の遊技球に衝突することなく飛翔することができる。したがって、遊技球の飛翔を安定させることができ、遊技の興趣が減衰することを防ぐことができる。
【００１７】
請求項６に記載の発明によれば、装飾部材は、飛翔誘導路のうち遊技領域の中央側に開設された導出口に逆流防止弁を設け、該逆流防止弁は、遊技球が飛翔誘導路から導出口へ導出することを許容する一方、導出口から飛翔誘導路へ進入することを防止するので、飛翔誘導路内を遊技領域の中央側へ案内されている遊技球が飛翔を阻止される虞をなくすようにすることができる。したがって、遊技球を安定して遊技領域の中央側へ飛翔させることができ、遊技の興趣が減衰することを防ぐことができる。
【００１８】
請求項７に記載の発明によれば、遊技球飛翔部は、遊技領域を流下する遊技球を受け入れ可能な受入通路と、該受入通路から受け入れた遊技球を跳ね上げる飛翔機構と、該飛翔機構により跳ね上げられた遊技球を遊技領域の中央側へ案内する案内通路とから構成され、飛翔機構は、回動可能に軸着された遊技球飛翔回動体と、該遊技球飛翔回動体を回動する駆動手段とを備え、遊技球飛翔回動体の一側に遊技球を受けた状態で、他側に駆動手段からの駆動力を伝達することで遊技球を案内通路から飛翔させるので、装飾部材まで到達した遊技球に、遊技領域の中央側へ飛翔できる程度の流下勢がなかったとしても、この遊技球を遊技領域の中央側へ向けて飛翔させることができ、遊技の興趣を高めることができる。
【発明を実施するための最良の形態】
【００１９】
以下、代表的な遊技機であるパチンコ遊技機を例に挙げて本発明の実施の最良の形態を図面に基づき説明する。図１はパチンコ遊技機の遊技盤１の正面図である。
【００２０】
パチンコ遊技機の遊技盤１は、図１に示すように、表面にガイドレール２や区画部材３により区画された遊技領域４を形成し、該遊技領域４内の略中央には、開口部５から変動表示装置６の表示部６′を前方に臨ませたセンターケース７を配設し、該センターケース７の下方には、遊技球を入賞可能な始動口８を、始動口８の左右両側方には普通図柄始動ゲート９を、始動口８および普通図柄始動ゲート９の下方には大入賞口１１、普通図柄表示器１２、一般入賞口１３を配置し、センターケース７の側方には、発光により各種の装飾表示を行う左側サイドランプ１５および右側サイドランプ１６を配置している。また、始動口８、普通図柄始動ゲート９、大入賞口１１等の入賞具やセンターケース７等の取付部分を除いた遊技領域４内に障害釘（図示せず）を植設してある。さらに、遊技盤１は、この他に、遊技球の流下方向を変える風車（図示せず）、及び入賞せずに流下した遊技球を回収するアウト口１７を設けている。
そして、センターケース７は、開口部５の下方に遊技球を転動可能なステージ１９を備え、該ステージ１９の上面には、左右両側から中央へ向けて下り傾斜面を形成し、該下り傾斜面の下端には前方へ下る溝部２０を形成して、ステージ１９の中央へ転動してきた遊技球がセンターケース７の下方の始動口８へ入賞し易くなるように構成されている。なお、変動表示装置６は、始動口８への入賞に基づいて表示部６′の表示状態を変動可能となるように構成されている。
【００２１】
次に、遊技領域４の右側部に配置された右側サイドランプ１６（本発明における装飾部材に相当）について説明する。右側サイドランプ１６は、図２に示すように、右側の区画部材３の内縁部に沿って湾曲した縦長なランプベース２３を備え、該ランプベース２３の上部に略三角形状の上側窓部２４を、中央部に略矩形状の下側窓部２５を上下に並べて開設し、各窓部２４，２５からレンズ部材２６を介してＬＥＤ等の発光体（図示せず）を臨ませている。
【００２２】
また、ランプベース２３の上部であって上側窓部２４よりもセンターケース７側（図中左側）には、遊技球飛翔部３０を設けている。遊技球飛翔部３０は、遊技領域４の側部、特に右側の区画部材３の内縁部の周辺に沿って流下する遊技球を遊技領域４の中央側へ向けて飛翔させる部材である。この遊技球飛翔部３０は、遊技盤１の表面に取り付けられ、頂角部を区画部材３側に偏らせた略鋭角三角形状のベース部材３１と、該ベース部材３１の区画部材３側の側辺（右側辺）から前方へ突設された滑走部材３２と、ベース部材３１の底辺から前方へ突設された飛翔部材３３とから構成されている。
【００２３】
滑走部材３２は、ベース部材３１の頂角部から区画部材３側の側辺（右側辺）に沿った部分の内側に設けられ、遊技領域４の右側部から内側へ向けて下り傾斜した滑走傾斜面３２ａを形成している。また、飛翔部材３３は、滑走部材３２の下方に配置され、上面を下向き凹状に形成し、適宜に曲率を定めた円弧状部材であり、当該飛翔部材３３の右端部（遊技領域４の外側に位置する端部）を滑走部材３２の下端部に接続して、滑走部材３２から流下してきた遊技球が飛翔部材３３へスムーズに案内されるように構成されている。そして、飛翔部材３３の左端部（遊技領域４の内側に位置する端部）の上面には、センターケース７の中央周辺へ向けて上り傾斜したジャンプ傾斜面３３ａを形成し、該ジャンプ傾斜面３３ａから飛翔した遊技球がセンターケース７へ向かいながら自由落下して、ステージ１９あるいは始動口８へ到達し易いように構成されている。なお、センターケース７と飛翔部材３３の左端部との間には、障害釘を植設しない飛翔領域３４を設けて、飛翔部材３３から飛翔した遊技球がセンターケース７側へ向かうことを阻止されないように構成されている。
【００２４】
そして、右側サイドランプ１６は、遊技球飛翔部３０のベース部材３１の最下部、言い換えると、飛翔部材３３の上面のうち最も低い箇所の後方に、遊技球が丁度１個通過可能な停留球導入口３６を開設している。なお、停留球導入口３６の前方に位置する飛翔部材３３の一部には、停留球導入口３６へ向かって下り傾斜する導入傾斜部３７を形成している。さらに、ランプベース２３の裏面側には、停留球誘導通路３８を停留球導入口３６から下方へ延設し、ランプベース２３の下部には停留球導出口３９を開設し、該停留球導出口３９を停留球誘導通路３８の下端に連通している。
【００２５】
このような構成の右側サイドランプ１６を備えたパチンコ遊技機において、発射装置（図示せず）から遊技球を発射すると、この遊技球は、ガイドレール２に沿って案内されて遊技領域４の上部に達した後、障害釘や風車により方向を変えながら遊技領域４内を流下する。この遊技球が一般入賞口１３、始動口８に入賞した場合には所定の賞球が得られ、何れにも入賞しなかった場合には、この遊技球はアウト口１７から回収される。
【００２６】
また、遊技球が発射装置から強い発射勢で発射されて区画部材３の内縁部（遊技領域４側の縁部）の周辺に沿って流下すると、この遊技球は、右側サイドランプ１６の遊技球飛翔部３０、具体的には、遊技球飛翔部３０の滑走部材３２の滑走傾斜面３２ａに衝接し易い。遊技球が滑走傾斜面３２ａに衝接すると、滑走部材３２は、遊技球を下方へ流下させながら遊技領域４の中央側へ向かう流下勢（横方向へ向かう流下勢）を加え、飛翔部材３３へ案内する。この遊技球が滑走部材３２の下端に到達し、滑走部材３２から飛翔部材３３の右端部へ移動すると、飛翔部材３３は、滑走部材３２から流下してきた遊技球（横方向の流下勢を加えられた遊技球）の移動方向を下方向から遊技領域４の中央方向へ変換し、この遊技球をジャンプ傾斜面３３ａまで案内する。すると、案内された遊技球は、ジャンプ傾斜面３３ａからセンターケース７のステージ１９や始動口８へ向けて飛翔し、ステージ１９に到達した場合には、ステージ１９上を左右に揺動した後で溝部２０から下方に落下し、始動口８へ入賞し易い。また、ステージ１９に到達しなかったとしても、センターケース７の下方の始動口８の周辺へ自由落下するので、始動口８へ入賞し易い。そして、遊技球が始動口８に入賞すると、変動表示装置６は、表示部６′の表示状態を変動する変動表示ゲームを開始して、遊技の進行に変化を与える。
【００２７】
このように、遊技球飛翔部３０は、遊技領域４の側部を流下する遊技球を、センターケース７や始動口８の周辺へ向けて飛翔させることができる。したがって、この遊技球に、遊技進行の変化の契機となる入賞の可能性を与えることができる。このことから、遊技進行の変化の契機となる入賞が見込めない遊技球であっても遊技進行に影響を与え得る挙動を行わせることができ、遊技の興趣を高めることができる。また、駆動源を必要とせず簡単な構成で遊技球を遊技領域４の中央側へ飛翔させることができる。
【００２８】
また、遊技球が滑走部材３２において十分に横方向に流下勢を加えられなかったり、あるいは直接飛翔部材３３上に落下したりして、飛翔部材３３から遊技領域４の中央側へ向けて飛翔できなかった場合には、この遊技球は、ジャンプ傾斜面３３ａを下る等して飛翔部材３３の上面のうち最も低い箇所へ移動し、飛翔部材３３上に停留する。停留した遊技球は、導入傾斜部３７の上を後方へ転動し、停留球導入口３６へ導入され、停留球導入口３６から停留球誘導通路３８へ誘導される。そして、停留球導出口３９から遊技領域４上へ再び流出し、遊技領域４の下端に設けられたアウト口１７へ向けて流下する。このようにして、遊技球飛翔部３０に遊技球が停留することを防ぐことができる。したがって、遊技球飛翔部３０へ流下してきた遊技球を、停留球に邪魔されることなく遊技領域４の中央側へ飛翔させることができ、遊技の興趣を高めることができる。
【００２９】
ところで、上記実施形態の右側サイドランプ１６では、飛翔部材３３上に停留した遊技球を停留球導入口３６、停留球誘導通路３８、停留球導出口３９を介してアウト口１７へ流下させるように構成したが、本発明はこれに限定されない。例えば、図３に示す第２実施形態の右側サイドランプ１６は、基本的には第１実施形態と同じであるが、停留球誘導通路の構成が異なる。具体的に説明すると、第２実施形態の右側サイドランプ１６は、停留球誘導通路３８の途中から一般入賞通路４１を分岐し、該一般入賞通路４１の下端を、停留球導出口３９の側方（図中左側方）に配置された一般入賞口１３の球流路４２に接続している。そして、一般入賞通路４１は、その下端を球流路４２のうち当該球流路４２の中間に設けられた一般入賞センサ４３よりも上流側に接続している。したがって、一般入賞通路４１を流下する遊技球は、一般入賞センサ４３により入賞球として検出される。
【００３０】
また、停留球誘導通路３８と一般入賞通路４１との分岐箇所には、流下方向変換部材（流路切換弁）４５を備えている。この流下方向変換部材４５は、回動軸４５ａを下側に、自由端を上側にそれぞれ配置した状態で備えられており、回動駆動源（図示せず）により回動軸４５ａを中心にして回動することで、停留球誘導通路３８側に遊技球を流下させる停留処理状態と、一般入賞通路４１側に遊技球を流下させる入賞状態とに変換可能となるように構成されている。なお、流下方向変換部材４５は、遊技制御装置（図示せず）により回動駆動源の動作を制御して、停留処理状態と入賞状態とに、一定期間（例えば５秒間）毎に変換するように構成されている。
【００３１】
このような構成の一般入賞通路４１および流下方向変換部材４５を右側サイドランプ１６に備えることで、停留球誘導通路３８に流入した遊技球であっても入賞するチャンスを生じさせることができ、遊技の興趣の向上を図ることができる。なお、遊技盤１やランプベース２３のうち、停留球誘導通路３８と一般入賞通路４１との分岐箇所の前方に位置する部分を透明部材で形成し、流下方向変換部材４５の変換状態や停留球誘導通路３８または一般入賞通路４１を流下する遊技球の挙動が前方から見えるようにすれば、遊技者に遊技球が入賞する様子を見せたり、停留球導入口３６を通過した遊技球が入賞するかもしれないという期待感を与えたりすることができ、遊技の興趣を高めることができて好適である。
【００３２】
ところで、上記実施形態では、飛翔部材３３の上方を開放して遊技球が飛翔部材３３上に直接落下することを許容していたが、本発明はこれに限定されない。例えば、図４に示す第３実施形態では、右側サイドランプ１６のベース部材３１のうち、滑走部材３２の側方であって飛翔部材３３の上方の位置に飛翔補助部材４７を突設している。この飛翔補助部材４７は、前方から見てベース部材３１よりもひと回り小さな略鋭角三角形状のブロック材であり、その前面部を滑走部材３２および飛翔部材３３の先端と略同じ位置に配置している。そして、滑走部材３２に対向する側面を滑走部材３２から離間するとともに、飛翔部材３３に対向する底面を飛翔部材３３から離間して、飛翔補助部材４７と滑走部材３２および飛翔部材３３との間に、遊技球よりも広い幅を有する飛翔誘導路４８を形成している。
【００３３】
このような構成の飛翔補助部材４７および飛翔誘導路４８を備えて、遊技球を遊技領域４の上部から遊技球飛翔部３０へ向けて落下させると、遊技球は、飛翔誘導路４８へ上方開口から進入した場合にのみ滑走部材３２および飛翔部材３３に案内され、センターケース７のステージ１９や始動口８（すなわち遊技領域４の中央側）へ向けて飛翔する。そして、飛翔補助部材４７上に落下した場合には、この飛翔補助部材４７により跳ね返されて下方の遊技領域４へ落下し、飛翔部材３３や滑走部材３２まで到達しない。したがって、遊技球飛翔部３０に誘導されている遊技球が他の遊技球に衝突することなく飛翔することができる。このことから、遊技球の飛翔を安定させることができ、遊技の興趣が減衰することを防ぐことができる。
【００３４】
なお、図５に示すように、飛翔誘導路４８のうち遊技領域４の中央側へ向けて開放された導出口４９に逆流防止弁５０を設けてもよい。この逆流防止弁５０は、飛翔補助部材４７の側端（図中左側端）に軸部５０ａを回動可能な状態で軸着し、該軸部５０ａから下方へ延設された弁体５０ｂの先端を飛翔部材３３の外側端（左側端）に当接して、導出口４９の外方へ回動するが、導出口４９の内方へは回動しないように構成されている。したがって、逆流防止弁５０は、遊技球が飛翔誘導路４８から前記導出口４９へ導出することを許容する一方、導出口４９から飛翔誘導路４８へ進入することを防止する（図５（ｂ），（ｃ）参照）。このことから、飛翔誘導路４８内を遊技領域４の中央側へ向けて案内される遊技球が導出口４９から進入した別の遊技球により飛翔を阻止される虞をなくすようにすることができる。これにより、遊技球を安定して遊技領域４の中央側へ飛翔させることができ、遊技の興趣が減衰することを防ぐことができる。なお、逆流防止弁５０の弁体５０ｂは、弾性材（ゴム材や金属板等）で形成すれば、遊技球が衝突しても破損し難いので好適である。
【００３５】
ところで、上記実施形態の遊技球飛翔部３０では、流下勢を利用して遊技球を遊技領域４の中央側へ飛翔させていたが、本発明はこれに限定されず、駆動手段を用いて遊技球を飛翔してもよい。例えば、図６および図７に示す第４実施形態の遊技盤１は、第１実施形態の遊技盤１と略同じ構成であるが、右側サイドランプ５２の構成が異なる。具体的に説明すると、第４実施形態の右側サイドランプ５２は、ランプベース２３に備えた矩形状のレンズ部材５３の上方に、飛翔機構５４を設けた遊技球飛翔部５５を備えている。この遊技球飛翔部５５は、遊技領域４の右縁部に沿って縦長に形成され、遊技領域４を流下する遊技球を受入可能な受入通路５６と、該受入通路５６から受け入れた遊技球を跳ね上げる飛翔機構５４と、該飛翔機構５４により跳ね上げられた遊技球を遊技領域４の中央側へ案内する円弧状の案内通路５７とから構成され、該案内通路５７の上端を遊技領域４の中央側へ向けて開放するとともに、下端を受入通路５６の下端に連通して、受入通路５６へ進入した遊技球が案内通路５７を介してセンターケース７または始動口８へ向かって飛翔できるように構成されている。
【００３６】
飛翔機構５４は、支持部材５８に回動軸５９を回動可能に軸着したシーソータイプの遊技球飛翔回動体６０と、該遊技球飛翔回動体６０を回動するソレノイド６１（本発明における駆動手段に相当）とから概略構成され、遊技球飛翔回動体６０の一側（図中右側）には受入通路５６から流下してきた遊技球を受ける球受部６２を形成し、他側（図中左側）にはソレノイド６１のプランジャ６１ａを上下移動可能な状態で係合している。そして、ソレノイド６１を消磁してプランジャ６１ａを押し上げた状態（常態）では球受部６２を受入通路５６と案内通路５７との合流部の下方に配置し、ソレノイド６１を励磁してプランジャ６１ａを引き下げると、遊技球飛翔回動体６０を回動して球受部６２を跳ね上げる。なお、飛翔機構５４は、ソレノイド６１を一定間隔（例えば５秒間隔）で励磁して、球受部６２の跳ね上げ駆動を繰り返し行うように設定されている。
【００３７】
このような構成の飛翔機構５４を備え、球受部６２に遊技球を受けた状態で、ソレノイド６１を励磁して遊技球飛翔回動体６０へ駆動力を伝達すると、飛翔機構５４は、回動軸５９を中心にして球受部６２を回動し、遊技球を案内通路５７へ送り出す。送り出された遊技球は、案内通路５７に案内されて遊技領域４の中央側へ向けて勢いよく飛翔することができる。したがって、右側サイドランプ５２まで到達した遊技球に、遊技領域４の中央側へ飛翔できる程度の流下勢がなかったとしても、この遊技球を遊技領域４の中央側へ向けて飛翔させることができ、遊技の興趣を高めることができる。
【００３８】
ところで、上記実施形態では、遊技球飛翔部に遊技球を案内する通路を備えていたが、図８に示すように、通路を備えずに遊技球飛翔部を構成してもよい。具体的に説明すると、図８に示す第５実施形態の遊技球飛翔部６５は、センターケース７と始動口８との間の側方（右側方）に配置され、遊技領域４の側部（図中右側部）から内側へ向けて下り傾斜し、傾斜下端をランプベース２３に軸着した球受板６６と、該球受板６６の傾斜上端部の下面とランプベース２３から突設した係止部６７との間に設けられ、球受板６６を上方へ付勢するコイルばね等の付勢部材６８とから構成されている。そして、遊技球が衝突していない常態においては、球受板６６の傾斜上端をランプベース２３の上端に設けた回動規制部６９に当接している。また、球受板６６の上面には、遊技球の形状に合わせて円弧状（あるいは球面状）に凹ませた球受凹部７０を複数形成している。
【００３９】
このような構成からなる遊技球飛翔部６５を右側サイドランプに備え、遊技球が遊技領域４の上方から遊技球飛翔部６５の球受板６６へ向けて落下すると、球受板６６は、遊技球が衝突した衝撃力により傾斜下端（軸着部分）を中心に下方へ回動する。また、球受凹部７０に遊技球の下部を嵌め易いため、遊技球が傾斜した球受板６６上を滑り落ち難い。したがって、球受板６６は、落下してきた遊技球により押し込まれ易く、付勢部材６８を収縮し易い。そして、付勢部材６８が十分に収縮すると、球受板６６は、付勢部材６８から受ける付勢力により勢いよく回動して元に戻る。すると、球受凹部７０に嵌合していた遊技球が球受板６６から離れて、遊技領域４の中央側へ向けて飛翔する。
このように、遊技球飛翔部６５は、遊技球の通路を形成することなく簡単な構造で遊技球を遊技領域４の中央側へ飛翔させることができる。また、当該遊技球飛翔部６５を配置するために広い領域を確保する必要がなく、限られた遊技領域４を有効に利用する（例えば、センターケース７を大型化する）ことができる。
【００４０】
なお、上記した遊技球飛翔部３０，５５，６５は、右側サイドランプ１６，５２に取り付けられることに限定されない。例えば、左側サイドランプ１５に取り付けて、遊技領域４の左側を流下する遊技球を遊技領域４の中央側へ飛翔させるように構成してもよい。また、表示器等を備えた装飾部材や、キャラクターや装飾模様を表面に表記した装飾部材に遊技球飛翔部３０，５５，６５を備えてもよい。
【００４１】
そして、上記した実施形態は、代表的な遊技機であるパチンコ遊技機を例にして説明したが、本発明はこれに限らず、遊技領域の側部に装飾部材を備えた遊技機であればどのような遊技機でもよい。例えば、内部に封入した遊技球を循環させる封入球式パチンコ機、アレンジボール式遊技機、雀球式遊技機等の遊技機であってもよい。
【００４２】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４３】
【図１】遊技盤の正面図である。
【図２】右側サイドランプの正面図である。
【図３】第２実施形態の右側サイドランプの正面図である。
【図４】第３実施形態の右側サイドランプの正面図である。
【図５】（ａ）は第３実施形態の変形例の遊技球飛翔部の概略図、（ｂ）は飛翔誘導路から遊技球を飛翔させた状態の概略図、（ｃ）は導入口からの遊技球の進入を阻止する状態の概念図である。
【図６】第４実施形態の遊技盤の正面図である。
【図７】飛翔機構を備えた遊技球飛翔部の拡大図である。
【図８】第５実施形態の右側サイドランプの正面図である。
【符号の説明】
【００４４】
１  遊技盤
３  区画部材
４  遊技領域
７  センターケース
８  始動口
１３  一般入賞口
１５  左側サイドランプ
１６  右側サイドランプ
２３  ランプベース
３０  遊技球飛翔部
３１  ベース部材
３２  滑走部材
３２ａ  滑走傾斜面
３３  飛翔部材
３３ａ  ジャンプ傾斜面
３４  飛翔領域
３６  停留球導入口
３７  導入傾斜部
３８  停留球誘導通路
３９  停留球導出口
４１  一般入賞通路
４２  球流路
４３  一般入賞センサ
４５  流下方向変換部材
４５ａ  回動軸
４７  飛翔補助部材
４８  飛翔誘導路
４９  導出口
５０  逆流防止弁
５０ａ  軸部
５０ｂ  弁体
５２  右側サイドランプ
５４  飛翔機構
５５  遊技球飛翔部
５６  受入通路
６０  遊技球飛翔回動体
６１  ソレノイド
６２  球受部
６５  遊技球飛翔部
６６  球受板
６８  付勢部材
６９  回動規制部
７０  球受凹部
【図１】
2006068452.tif 000003
【図２】
2006068452.tif 000004
【図３】
2006068452.tif 000005
【図４】
2006068452.tif 000006
【図５】
2006068452.tif 000007
【図６】
2006068452.tif 000008
【図７】
2006068452.tif 000009
【図８】
2006068452.tif 000010